(57)【要約】【課題】より需要者（利用者）の注意を惹きつけるデザインを有する写真プリントの作成を可能とする、写真プリント作成方法および写真プリント作成装置を提供する【解決手段】利用者を撮影した画像を用いた印刷画像を写真プリント用紙１１ａに印刷する写真プリント作成方法であって、利用者を撮影した画像を用いて合成画像Ｇ１を生成するステップと、写真プリント用紙１１ａの矩形形状の外周縁１１ｂ、１１ｃの内部に、合成画像Ｇ１が一方向に沿って複数配置される矩形形状の画像配置区画１１１を規定するステップと、複数の合成画像Ｇ１を画像配置区画１１１内に配列して、写真プリント用紙１１ａに印刷すべき印刷画像を生成するステップと、印刷画像を、写真プリント用紙１１ａに印刷するステップとを備え、画像配置区画１１は、外周縁１１ｂ、１１ｃの内側において傾斜するように配置されている。【選択図】図５
2015036804.tif 000002
【特許請求の範囲】
【請求項１】
利用者を撮影した画像を用いた印刷画像を写真プリント用紙に印刷する写真プリント作成方法であって、
利用者を撮影した画像を用いて合成画像を生成するステップと、
前記写真プリント用紙の矩形形状の外周縁の内部に、前記合成画像が一方向に沿って複数配置される矩形形状の画像配置区画を規定するステップと、
複数の前記合成画像を前記画像配置区画内に配列して、前記写真プリント用紙に印刷すべき前記印刷画像を生成するステップと、
前記印刷画像を、前記写真プリント用紙に印刷するステップと、
を備え、
前記画像配置区画は、前記外周縁の内側において傾斜するように配置されている、写真プリント作成方法。
【請求項２】
前記画像配置区画の前記外周縁と前記合成画像の外枠との間には所定幅の縁領域が設けられる、請求項１に記載の写真プリント作成方法。
【請求項３】
前記画像配置区画には、前記合成画像を印刷する領域に、前記合成画像よりも大きい下地塗画像を有し、
前記合成画像の周囲から前記下地塗画像がはみ出るように、前記下地塗画像の上に前記合成画像が重ね合わせられている、請求項１または２に記載の写真プリント作成方法。
【請求項４】
前記外周縁と前記画像配置区画の外枠とによって囲まれる空間において、対角方向に位置する一対の角部近傍の空間の方が、他の一対の角部近傍の空間よりも大きい、請求項１から３のいずれか１項に記載の写真プリント作成方法。
【請求項５】
前記画像配置区画は、第１画像配置区画と第２画像配置区画とを含み、
前記第１画像配置区画と前記第２画像配置区画とは相互に傾斜している、請求項１から４のいずれか１項に記載の写真プリント作成方法。
【請求項６】
前記第１画像配置区画と前記第２画像配置区画とには、相互に重なる領域を有する、請求項５に記載の写真プリント作成方法。
【請求項７】
前記合成画像は、第１合成画像と、前記第１合成画像とは画像アレンジ方法が異なる第２合成画像とを含み、
前記第１画像配置区画には、複数の前記第１合成画像のみが配置され、
前記第２画像配置区画には、複数の前記第２合成画像のみが配置されている、請求項５または６に記載の写真プリント作成方法。
【請求項８】
前記写真プリント用紙は、第１印刷領域と第２印刷領域とを有し、
前記第１印刷領域には、前記画像配置区画が印刷され、
前記第２印刷領域には、前記合成画像が前記外周縁に対して傾斜することなく印刷されている、請求項１から７のいずれかに記載の写真プリント作成方法。
【請求項９】
利用者を撮影した画像を用いた印刷画像を写真プリント用紙に印刷する写真プリント作成装置であって、
利用者を撮影した画像を用いて合成画像を生成する手段と、
前記写真プリント用紙の矩形形状の外周縁の内部に、前記合成画像が一方向に沿って複数配置される矩形形状の画像配置区画を規定する手段と、
複数の前記合成画像を、前記画像配置区画内に配列して印刷画像を生成する手段と、
前記印刷画像を、前記写真プリント用紙に印刷する手段と、
を備え、
前記画像配置区画は、前記外周縁内において傾斜するように配置されている、写真プリント作成装置。
【発明の詳細な説明】
【技術分野】
【０００１】
この発明は、写真プリント作成方法および写真プリント作成装置に関する。
【背景技術】
【０００２】
写真撮影ブースにおいて、利用者が自らを含む被写体を撮影し、撮影された画像に好みのフレーム、おえかきと称する文字図柄の描画、背景を画像合成し、合成画像をシールプリントとして印刷出力する写真プリント作成装置（写真撮影ブース付きプリント自動販売機）が知られている。このような、写真プリント作成装置は、下記の特許公報に開示されている。
【先行技術文献】
【特許文献】
【０００３】
【特許文献１】特開２０１３−０４２３１４号公報
【特許文献２】特開２０１０−１７７９８７号公報
【特許文献３】特開２０１１−１４２５３４号公報
【発明の概要】
【発明が解決しようとする課題】
【０００４】
写真プリント作成装置の主たる利用者（需要者）は、中学生、高校生、大学生等の女性のグループ、男女のカップルである。近年では、写真プリント作成装置の撮影機能の高機能化が進み、より小顔に撮影する機能、瞳をより大きく撮影する機能、肌をより美白に撮影する機能、全身をスリムに撮影する機能等が付加されるようになり、利用者（需要者）の志向は、従来の「面白く写りたい」から「綺麗に写りたい」という強い願望に大きく変化している。
【０００５】
さらに、そのようにして撮影された画像に基づき加工および編集された印刷画像を、写真プリントにどのようなデザインで印刷するかが、写真プリント作成装置において重要となる。
【０００６】
写真プリント作成装置の利用者（需要者）の中心はリピータであり、利用者（需要者）は何度も、写真プリント作成装置が設置されたアミューズメントエリアに足を運び、複数台設置された写真プリント作成装置の中から、自分の好みに合った撮影機能および写真プリントのデザインを有する写真プリント作成装置を選択する。
【０００７】
したがって、本発明の目的は、より需要者（利用者）の注意を惹きつけるデザインを有する写真プリントの作成を可能とする、写真プリント作成方法および写真プリント作成装置を提供することにある。
【課題を解決するための手段】
【０００８】
この発明に基づいた写真プリント作成方法においては、利用者を撮影した画像を用いた印刷画像を写真プリント用紙に印刷する写真プリント作成方法であって、利用者を撮影した画像を用いて合成画像を生成するステップと、上記写真プリント用紙の矩形形状の外周縁の内部に、上記合成画像が一方向に沿って複数配置される矩形形状の画像配置区画を規定するステップと、複数の上記合成画像を上記画像配置区画内に配列して、上記写真プリント用紙に印刷すべき上記印刷画像を生成するステップと、上記印刷画像を、上記写真プリント用紙に印刷するステップとを備え、上記画像配置区画は、上記外周縁の内側において傾斜するように配置されている。
【０００９】
他の形態では、上記画像配置区画の上記外周縁と上記合成画像の外枠との間には所定幅の縁領域が設けられる。
【００１０】
他の形態では、上記画像配置区画には、上記合成画像を印刷する領域に、上記合成画像よりも大きい下地塗画像を有し、上記合成画像の周囲から上記下地塗画像がはみ出るように、上記下地塗画像の上に上記合成画像が重ね合わせられている。
【００１１】
他の形態では、上記外周縁と上記画像配置区画の外枠とによって囲まれる空間において、対角方向に位置する一対の角部近傍の空間の方が、他の一対の角部近傍の空間よりも大きい。
【００１２】
他の形態では、上記画像配置区画は、第１画像配置区画と第２画像配置区画とを含み、上記第１画像配置区画と上記第２画像配置区画とは相互に傾斜している。
【００１３】
他の形態では、上記第１画像配置区画と上記第２画像配置区画とには、相互に重なる領域を有する。
【００１４】
他の形態では、上記合成画像は、第１合成画像と、上記第１合成画像とは画像アレンジ方法が異なる第２合成画像とを含み、上記第１画像配置区画には、複数の上記第１合成画像のみが配置され、上記第２画像配置区画には、複数の上記第２合成画像のみが配置されている。
【００１５】
他の形態では、上記写真プリント用紙は、第１印刷領域と第２印刷領域とを有し、上記第１印刷領域には、上記画像配置区画が印刷され、上記第２印刷領域には、上記合成画像が上記外周縁に対して傾斜することなく印刷されている。
【００１６】
この発明に基づいた写真プリント作成装置においては、利用者を撮影した画像を用いた印刷画像を写真プリント用紙に印刷する写真プリント作成装置であって、利用者を撮影した画像を用いて合成画像を生成する手段と、上記写真プリント用紙の矩形形状の外周縁の内部に、上記合成画像が一方向に沿って複数配置される矩形形状の画像配置区画を規定する手段と、複数の上記合成画像を、上記画像配置区画内に配列して印刷画像を生成する手段と、上記印刷画像を、上記写真プリント用紙に印刷する手段とを備え、上記画像配置区画は、上記外周縁内において傾斜するように配置されている。
【発明の効果】
【００１７】
この発明によれば、より利用者（需要者）の注意を惹きつけるデザインを有する写真プリントの作成を可能とする、写真プリント作成方法および写真プリント作成装置を提供することを可能とする。
【図面の簡単な説明】
【００１８】
【図１】実施の形態１における写真プリント作成装置を示す第１斜視図である。
【図２】実施の形態１における写真プリント作成装置を示す第２斜視図である。
【図３】実施の形態１における写真プリント作成装置の機能ブロックを示す図である。
【図４】実施の形態１における写真プリント作成装置における作成方法の全体フローを示す図である。
【図５】実施の形態１における写真プリントの印刷状態を示す図であり、（Ａ）は平面図、（Ｂ）は正面図、（Ｃ）は左側面図である。
【図６】実施の形態１における各区画に印刷画像をはめ込んだ、実際の印刷された写真プリントの状態を示す図である。
【図７】実施の形態１における各区画内の全面を一色（黒色等）に塗りつぶした下地塗画像を示す部分拡大図である。
【図８】実施の形態１における合成画像を回転させた場合に生じる、画像の側辺の乱れを示す図である。
【図９】実施の形態１における、塗りつぶされた画像の上に、回転させた合成画像を重ね合わせた場合を示す図である。
【図１０】実施の形態２における写真プリントの印刷状態を示す図であり、（Ａ）は平面図、（Ｂ）は正面図、（Ｃ）は左側面図である。
【図１１】参考例１における写真プリントの印刷状態を示す図であり、（Ａ）は平面図、（Ｂ）は正面図、（Ｃ）は左側面図である。
【図１２】実施の形態３における写真プリントの印刷状態を示す図であり、（Ａ）は平面図、（Ｂ）は正面図、（Ｃ）は左側面図である。
【図１３】実施の形態３における各区画に印刷画像をはめ込んだ、実際の印刷された写真プリントの状態を示す図である。
【図１４】実施の形態４における写真プリントの印刷状態を示す図であり、（Ａ）は平面図、（Ｂ）は正面図、（Ｃ）は左側面図である。
【図１５】参考例２における写真プリントの印刷状態を示す図であり、（Ａ）は平面図、（Ｂ）は正面図、（Ｃ）は左側面図である。
【図１６】実施の形態５における写真プリントの印刷状態を示す図であり、（Ａ）は平面図、（Ｂ）は正面図、（Ｃ）は左側面図である。
【図１７】実施の形態５における各区画に印刷画像をはめ込んだ、実際の印刷された写真プリントの状態を示す図である。
【図１８】実施の形態６における写真プリントの印刷状態を示す図であり、（Ａ）は平面図、（Ｂ）は正面図、（Ｃ）は左側面図である。
【図１９】参考例３における写真プリントの印刷状態を示す図であり、（Ａ）は平面図、（Ｂ）は正面図、（Ｃ）は左側面図である。
【図２０】実施の形態７における写真プリントの印刷状態を示す図であり、（Ａ）は平面図、（Ｂ）は正面図、（Ｃ）は左側面図である。
【図２１】実施の形態７における各区画に印刷画像をはめ込んだ、実際の印刷された写真プリントの状態を示す図である。
【図２２】実施の形態８における写真プリントの印刷状態を示す図であり、（Ａ）は平面図、（Ｂ）は正面図、（Ｃ）は左側面図である。
【図２３】参考例４における写真プリントの印刷状態を示す図であり、（Ａ）は平面図、（Ｂ）は正面図、（Ｃ）は左側面図である。
【図２４】実施の形態９における写真プリントの印刷状態を示す図であり、（Ａ）は平面図、（Ｂ）は正面図、（Ｃ）は左側面図である。
【図２５】実施の形態９における各区画に印刷画像をはめ込んだ、実際の印刷された写真プリントの状態を示す図である。
【図２６】実施の形態１０における写真プリントの印刷状態を示す図であり、（Ａ）は平面図、（Ｂ）は正面図、（Ｃ）は左側面図である。
【図２７】実施の形態１１における写真プリントの印刷状態を示す図であり、（Ａ）は平面図、（Ｂ）は正面図、（Ｃ）は左側面図である。
【図２８】実施の形態１２における写真プリントの印刷状態を示す図であり、（Ａ）は平面図、（Ｂ）は正面図、（Ｃ）は左側面図である。
【図２９】参考例５における写真プリントの印刷状態を示す図であり、（Ａ）は平面図、（Ｂ）は正面図、（Ｃ）は左側面図である。
【図３０】実施の形態１３における写真プリントの印刷状態を示す図であり、（Ａ）は平面図、（Ｂ）は正面図、（Ｃ）は左側面図である。
【図３１】実施の形態１４における写真プリントの印刷状態を示す図であり、（Ａ）は平面図、（Ｂ）は正面図、（Ｃ）は左側面図である。
【図３２】実施の形態１５における写真プリントの印刷状態を示す図であり、（Ａ）は平面図、（Ｂ）は正面図、（Ｃ）は左側面図である。
【図３３】実施の形態１６における写真プリントの印刷状態を示す図であり、（Ａ）は平面図、（Ｂ）は正面図、（Ｃ）は左側面図である。
【図３４】実施の形態１６における各区画に印刷画像をはめ込んだ、実際の印刷された写真プリントの状態を示す図である。
【図３５】実施の形態１７における写真プリントの印刷状態を示す図であり、（Ａ）は平面図、（Ｂ）は正面図、（Ｃ）は左側面図である。
【図３６】実施の形態１８における写真プリントの印刷状態を示す図であり、（Ａ）は平面図、（Ｂ）は正面図、（Ｃ）は左側面図である。
【図３７】実施の形態１９における写真プリントの印刷状態を示す図であり、（Ａ）は平面図、（Ｂ）は正面図、（Ｃ）は左側面図である。
【図３８】参考例６における写真プリントの印刷状態を示す図であり、（Ａ）は平面図、（Ｂ）は正面図、（Ｃ）は左側面図である。
【図３９】実施の形態２０における写真プリントの印刷状態を示す図であり、（Ａ）は平面図、（Ｂ）は正面図、（Ｃ）は左側面図である。
【図４０】実施の形態２１における写真プリントの印刷状態を示す図であり、（Ａ）は平面図、（Ｂ）は正面図、（Ｃ）は左側面図である。
【発明を実施するための形態】
【００１９】
本発明に基づいた各実施の形態における写真プリント作成方法および写真プリント作成装置について、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００２０】
各実施の形態における写真プリントを示す図において、底面図には何も印刷されないため図示は省略する。背面図は正面図と同一にあらわれ、右側面図は左側面図と同一にあらわれるため、図示は省略する。各実施の形態における写真プリント用紙は、長辺が約１５３ｍｍ、短辺が約６１ｍｍ程度である。
【００２１】
（実施の形態１）
（写真プリント作成装置１００）
図１および図２を参照して、本実施の形態における写真プリント作成装置１００の概略構成について説明する。図１は、本実施の形態における写真プリント作成装置１００を示す第１斜視図（正面、右側面、平面）、図２は、本実施の形態における写真プリント作成装置１００を示す第２斜視図（正面、左側面、平面）である。
【００２２】
この写真プリント作成装置（写真撮影ブース付きプリント自動販売機）１００は、事前接客装置（シール自動販売機用事前利用者操作機）２００、撮影装置（シール自動販売機用撮影機）３００、画像編集装置（写真シール自動販売機用画像編集加工印刷機）４００、および、事後接客装置（シール自動販売機用事後利用者操作機）５００を備える。
【００２３】
事前接客装置２００は、コイン投入口２１０、操作モニタ２２０およびスピーカ２３０を有する。撮影装置３００は、撮影用カメラ３１０、操作モニタ３２０、および照明器具３３０、３４０を有する。画像編集装置４００は、操作モニタ４１０およびタッチペン４２０を有する。事後接客装置５００は、操作モニタ５１０および写真シール受取口５２０を有する。
【００２４】
（写真プリント作成装置１００の機能ブロック）
図３を参照して、本実施の形態の写真プリント作成装置１００の機能ブロックについて説明する。図３は、写真プリント作成装置１００の機能ブロックを示す図である。
【００２５】
写真プリント作成装置１００は、写真プリント作成装置１００の全体を制御するコンピュータ装置１００１と、動作中のコンピュータ装置１００１からの指示を受け付けて、接続されている各種装置を制御する制御基板１００２と、クロマキーキャプチャボード１０１７とを備える。これらは写真プリント作成装置１００の制御装置１０００として機能する。制御装置１０００は撮影装置３００、または、画像編集装置４００に搭載されてもよい。
【００２６】
コンピュータ装置１００１は、ＣＰＵ（Ｃｅｎｔｒａｌ  Ｐｒｏｃｅｓｓｉｎｇ  Ｕｎｉｔ）１００３と、ＨＤＤ（Ｈａｒｄ  Ｄｉｓｋ  Ｄｒｉｖｅ）１００４と、メモリ１００５と、通信部１００６とを備える。ＣＰＵ１００３は、メモリ１００５に記憶されたプログラムを実行して、コンピュータ装置１００１を制御する。
【００２７】
制御プログラムは、コンピュータ装置１００１にインストールされることにより、ＨＤＤ１００４に格納される。メモリ１００５は、コンピュータ装置１００１のメインメモリであり、ＣＰＵ１００３により実行される制御プログラムの一時的な作業領域として用いられる。
【００２８】
本実施の形態では、ＣＰＵ１００３が制御プログラムを実行することにより、制御基板１００２が発光制御部１１００を介して、照明器具３３０、３４０の発光を制御する。
【００２９】
ＨＤＤ１００４は、写真プリント作成装置１００に所定の処理を実行させるための制御プログラム、処理に必要なグラフィックデー夕、音声デー夕、生成された合成画像を示す合成画像デー夕、予め用意された複数のフレーム画像、複数のスタンプ画像等の各種画像デー夕、予め用意された複数の背景画像を示す背景画像データ、予め用意された複数のシートデザインを示すシートデザイン画像を記憶する。
【００３０】
通信部１００６は、インターネット等のネットワークを介して図示しないサーバと通信する。
【００３１】
コンピュータ装置１００１は、事前接客装置２００での事前接客処理を実行する。コンピュータ装置１００１は、制御プログラムを実行し、デモ映像、名前入力画面などを受付用の操作モニタ（受付用ディスプレイ）２２０に表示する。
【００３２】
操作モニタ２２０には、タッチパネルが用いられ、利用者の指の接触を検知し、それに応じた指示信号をコンピュータ装置１００１に送信する。スピーカ２３０は、コンピュータ装置１００１から与えられる指示信号に基づいて、案内音声、ＢＧＭなどを出力する。
【００３３】
コンピュータ装置１００１は、撮影装置３００での写真画像生成処理を実行する。コンピュータ装置１００１は、制御プログラムを実行し、必要に応じて操作モニタ（正面ディスプレイ）３２０を介して入力されたユーザの操作に応じて、制御信号を制御基板１００２に送信する。
【００３４】
制御基板１００２は、撮影タイミングにおいて、発光制御部１１００により照明器具３３０、３４０を発光モードに応じて充電し発光させる。スピーカ（図示せず）は、コンピュータ装置１００１から与えられる指示信号に基づいて、撮影プレイのための操作方法などの案内、ＢＧＭなどを出力する。
【００３５】
クロマキーキャプチャボード１０１７は、撮影用カメラ３１０で撮影されている映像（被写体映像）を所定の時間間隔（たとえば３０フレーム／秒)でデジタルデータ（静止画像）として取り込む。クロマキーキャプチャボード１０１７は、取り込んだ静止画像の中からクロマキー技術により被写体以外の領域を検知し、その検知した領域に選択された所望の背景画像を合成する。コンピュータ装置１００１は、被写体映像の顔部分に画像処理を施し、所定の画像サイズとなるように被写体映像をトリミングする。
【００３６】
コンピュータ装置１００１は、画像編集処理を実行する。コンピュータ装置１００１は制御プログラムを実行し、編集用の操作モニタ（編集用ディスプレイ）４１０およびタッチペン４２０を用いた入力操作に応じて、制御信号を制御基板１００２に送信する。コンピュータ装置１００１は、操作モニタ４１０と接続され、それらを制御する。
【００３７】
操作モニタ４１０は、タッチペン４２０等の接触を検知し、それに応じた指示信号をコンピュータ装置１００１に送信する。操作モニタ４１０は、コンピュータ装置１００１から送信された編集画像（落書き画像）を写真画像上に重ねて表示する。スピーカ（図示省略）は、コンピュータ装置１００１から与えられる指示信号に基づいて、編集プレイのための操作方法などの案内、ＢＧＭなどを出力する。
【００３８】
コンピュータ装置１００１は、通信部１００６により、インターネット等のネットワークを介して図示しないサーバと通信する。写真プリント作成装置１００で生成された画像を利用者の携帯端末にサーバ経由で提供可能にする。これにより、利用者はユーザ端末に写真画像、合成画像を取得できる。
【００３９】
コンピュータ装置１００１は、利用者の要求に応じて生成された合成画像および印刷画像を取得するのに必要なアクセス情報(たとえばＵＲＬ)を、非接触通信装置を介してユーザの携帯端末に送信してもよい。
【００４０】
コンピュータ装置１００１は、プリンタ（図示省略）と接続され、プリンタに対して印刷指示を送信し、印刷すべき印刷画像を送信する。プリンタは、印刷すべき印刷画像の受信を完了したとき、印刷指示に応じて印刷を開始する。
【００４１】
制御基板１００２は、コンピュータ装置１００１の他に、蛍光灯、コイン制御部、およびサービスパネルに接続される。
【００４２】
（写真プリントの作成フロー）
図４を参照して、本実施の形態における写真プリント作成装置を用いた写真プリントの作成フローを説明する。図４は、本実施の形態における写真プリント作成装置１００における作成方法の全体フローを示す図である。
【００４３】
写真プリント作成装置１００は、プレイの開始時に事前接客装置２００において事前接客処理として受付処理を行なう。受付処理では、写真画像の生成条件処理、背景選択処理が行なわれる(ステップＳ１０)。写真プリント作成装置１００は、撮影装置３００において、利用者（プレイヤ）を被写体として撮影する（ステップ２０）。
【００４４】
写真プリント作成装置１００は、写真撮影後、画像編集装置４００において、らくがき処理（ステップＳ３０）の受付処理を行なった後、撮影装置３００において利用者を撮影した「写真画像」、および画像編集装置４００で利用者が行なったらくがき処理で入力した「編集画像」を合成し、「合成画像」を生成する写真画像合成処理を行なう（ステップＳ４０)。生成した合成画像を所定のレイアウトに配置した複数のレイアウトを利用者に提示してレイアウトの選択を受け付け（ステップＳ５０)、選択を受け付けたレイアウトにしたがって合成画像を配置して、「シートデザイン画像」に「合成画像」が組み込まれた印刷画像を生成する印刷画像処理を行なう（ステップＳ６０）。「写真画像」に対して、画像編集装置４００で利用者によりらくがき処理が行なわれていない場合も、以下、「合成画像」に含まれるものとする。
【００４５】
写真プリント作成装置１００は、プリンタを用いて、写真プリント用紙に印刷画像を印刷し、その写真プリントを、事後接客装置５００の写真シール受取口５２０から排出する（ステップＳ７０）。さらに、写真プリント作成装置１００は、サーバを介して合成画像を利用者の所有する端末に送信する。
【００４６】
（印刷画像および写真プリント）
次に、図５から図９を参照して、写真プリント作成装置１００を用いて作成された本実施の形態における印刷画像および写真プリントについて説明する。図５は、本実施の形態におけるプリント用紙の印刷状態を示す図であり、（Ａ）は平面図、（Ｂ）は正面図、（Ｃ）は左側面図である。
【００４７】
図５を参照して、写真プリント作成装置１００を用いて作成された本実施の形態における写真プリントは、利用者を撮影した画像を用いて生成した合成画像を用いた印刷画像を、写真プリント用紙１１ａに印刷する。
【００４８】
写真プリント作成装置１００には、ロール状の写真プリント用紙がプリンタ内部に格納されている。利用者によるプレイごとに、プリンタ内部に備わるカッター機構により切断され、矩形形状（長辺１１ｂ、短辺１１ｃ：本実施の形態では、長方形）の外周縁を有する写真プリント用紙１１ａが利用者に提供される。ロール状の写真プリント用紙は、本実施の形態の写真プリント用紙１１ａの外周縁の短辺方向に巻かれている。１プレイでは、本実施の形態の写真プリント用紙１１ａは２枚提供される。
【００４９】
本実施の形態では、写真プリント用紙１１ａを横長に用いている。縦長の合成画像（タテプリ）を配置するには好適である。写真プリント用紙１１ａの外周縁の内部には、合成画像が一方向に沿って複数配置される矩形形状の画像配置区画１１１（区画１１１)が規定されている。本実施の形態では、この画像配置区画１１１は、外周縁内において傾斜するように配置されている。画像配置区画１１１は、長辺１１ｂの延びる方向に対してα度反時計方向に回転するように傾斜している。本実施の形態では、回転角度α度は、−５度である。以降、時計回転方向を「＋」とし、反時計回転方向を「−」と表記する。
【００５０】
画像配置区画１１１内には、合成画像が配置される領域として、区画１１２、区画１１３、区画１１４、区画１１５、区画１１６、および区画１１７が規定されている。本実施の形態では、区画１１２、区画１１３、区画１１４、および区画１１５の縦横比率は、１.２５：１である。区画１１６および区画１１７の縦横比率は、１.４：１である。区画１１２〜区画１１７は、その長辺の長さが同じになるように調整されている。この縦横比はあくまでも一例であって、この縦横比に限定はされない。
【００５１】
本実施の形態では、画像配置区画１１１の外枠と合成画像が配置される各区画の外枠との間には所定幅の縁領域１１ｆが設けられる。これにより、フレーム枠の雰囲気を醸し出すことができる。この縁領域１１ｆを設けず、各区画が、一方向に沿って複数配置され、その一方向が、外周縁内において傾斜するように配置されていてもよい。
【００５２】
このように、画像配置区画１１１を、外周縁内において傾斜するように配置すると、外周縁と画像配置区画１１１の外枠とによって囲まれる空間において、対角方向に位置する一対の角部近傍の空間１１ｄ、１１ｅの方が、他の一対の角部近傍の空間１１ｇ、１１ｈよりも大きくなる。これにより、この空間１１ｄ、１１ｅに、製品名、製品ロゴ、模様・図柄を含むイラスト画像、利用者の名前等の文字画像を挿入することができる。後述する参考例に比べて、写真プリント用紙をデザインする際に、大きな領域を確保することができる。
【００５３】
図６に、図５に示す各区画に合成画像をはめ込み、印刷画像が印刷された写真プリントの状態を示す。区画１１２、区画１１３、区画１１４、および区画１１５には、利用者の上半身が区画の枠内に大きく印刷されるモード（以下、「通常撮影モード」と称す）の合成画像がレイアウトされ、区画１１６および区画１１７には、利用者の頭部の上にらくがき、吹き出し画像の書き込みが可能な空間を有するようにして撮影される、「通常撮影モード」とは撮影アレンジ方法が異なるモード（以下、「空間モード」と称す）の合成画像がレイアウトされている。
【００５４】
さらに、対角方向に位置する一対の角部近傍の空間１１ｄ、１１ｅには、それぞれ、製品名、製品ロゴ、模様・図柄を含むイラスト画像、利用者の名前等の文字画像が記載され、写真プリント全体としてのデザイン性を高めている。さらに、生成された合成画像が、直線状に一列に配置されていることから、証明写真に用いられる写真プリントにように、フォトルームの雰囲気を醸し出している。
【００５５】
さらに、本実施の形態における写真プリントは、従来の写真プリントと比較して、写真プリント全体に対して、撮影した写真画像を含む合成画像の６枚をすべて１枚づつ、一連につなげて配置している点、つまり傾斜した区画１１１内に区画１１２〜区画１１７を一連につなげて配置している点に、デザイン的な特徴および斬新さを挙げることができる。
【００５６】
図７から図９を参照して、本実施の形態に採用すると好ましい、「合成画像周辺修正」について説明する。図７は、各区画内の全面を一色（黒色等）に塗りつぶした下地塗画像を示す部分拡大図、図８は、合成画像を回転させた場合に生じる、画像の側辺の乱れを示す図、図９は、塗りつぶされた画像の上に、回転させた画像を重ね合わせた場合を示す図である。下地塗画像は写真シートのデザイン画像に含まれる。下地塗画像は全面が塗りつぶされている必要はなく、少なくとも画像の側辺から露出する周辺部が一色に塗りつぶされていればよい。
【００５７】
図８に示すように、合成画像Ｇ１を回転させた場合（本実施の形態では、画像の重心ＣＬを回転中心として、５度反時計方向に回転）には、デジタル処理の影響を受けて、印刷画像の側辺には、ギザギザの画像乱れが生じる。この合成画像Ｇ１を、直接写真プリント用紙に印刷した場合には、この側辺のギザギザが目立ち、写真プリント全体としてのデザイン性を著しく低下させるおそれがある。
【００５８】
図７に示すように、予め各区画内の全面を一色（たとえば、黒色、赤色等）に塗りつぶした画像Ｂ１１２、Ｂ１１３を準備し、図９に示すように、合成画像Ｇ１の周囲から下地塗画像Ｂ１１２、Ｂ１１３がはみ出るように、下地塗画像Ｂ１１２、Ｂ１１３の上に合成画像Ｇ１を重ね合わせて、印刷画像とする。
【００５９】
これにより、印刷画像の側辺に生じるギザギザが目立たなくなり、写真プリント全体としてのデザイン性の低下を回避することができる。さらに、各区画において、合成画像Ｇ１の周囲には、下地塗画像Ｂ１１２、Ｂ１１３のフレーム枠が形成されることにより、フォトフレーム感をより高めることができる。その結果、写真プリント全体としてのデザイン性をさらに高めることができる。さらに、合成画像Ｇ１を回転して配置する際に、合成画像の位置ずれを目立ち難くすることもできる。
【００６０】
この「合成画像周辺修正」は、以下に示す全ての実施の形態および参考例に対して適用することが可能である。
【００６１】
（実施の形態２）
図１０を参照して、本実施の形態における写真プリント１１Ａの印刷状態について説明する。図１０は、本実施の形態における写真プリント１１Ａの印刷状態を示す図であり、（Ａ）は平面図、（Ｂ）は正面図、（Ｃ）は左側面図である。
【００６２】
写真プリント作成装置１００の装置構成は、実施の形態１と同じであり、基本的な印刷状態も、上記実施の形態１における写真プリント１１と同じである。相違点は、本実施の形態における写真プリント１１Ａは、回転方向が異なっている。本実施の形態における写真プリント１１Ａの場合、矩形形状の画像配置区画１１１が、写真プリント用紙１１ａの長辺１１ｂの延びる方向に対してα度時計方向に回転するように傾斜している。本実施の形態では、回転角度α度は、＋５度である。
【００６３】
この実施の形態２における写真プリント作成方法および写真プリント作成装置においても、実施の形態１と同様の作用効果を得ることができる。
【００６４】
（参考例１）
図１１を参照して、本参考例における写真プリント１１Ｂの印刷状態について説明する。図１１は、参考例１における写真プリント１１Ｂの印刷状態を示す図であり、（Ａ）は平面図、（Ｂ）は正面図、（Ｃ）は左側面図である。
【００６５】
写真プリント作成装置１００の装置構成は、実施の形態１と同じであり、基本的な印刷状態も、上記実施の形態１における写真プリント１１と同じである。相違点は、参考例１における写真プリント１１Ｂの矩形形状の画像配置区画１１１は、回転しておらず長辺１１ｂの延びる方向と同一の方向に合成画像が並べられている。
【００６６】
（実施の形態３）
図１２を参照して、本実施の形態における写真プリント１２の印刷状態について説明する。図１２は、本実施の形態における写真プリント１２の印刷状態を示す図であり、（Ａ）は平面図、（Ｂ）は正面図、（Ｃ）は左側面図である。
【００６７】
写真プリント作成装置１００の装置構成は、実施の形態１と同じであり、基本的な印刷状態も、上記実施の形態１における写真プリント１１と同じである。相違点は、上記実施の形態１における写真プリント１１は、写真プリント用紙１１ａを横長に用いていたが、本実施の形態における写真プリント１２は、写真プリント用紙１２ａを縦長に用いている。横長の合成画像（ヨコプリ）を配置するには好適である。
【００６８】
矩形形状の画像配置区画１２１（区画１２１)は、長辺１２ｃの延びる方向に対してα度時計方向に回転するように傾斜している。本実施の形態では、回転角度α度は、−５度である。画像配置区画１２１内には、合成画像が配置される領域として、区画１２２、区画１２３、区画１２４、区画１２５、区画１２６、および区画１２７が規定されている。本実施の形態では、区画１２２、区画１２３、区画１２４、および区画１２５の縦横比率は、１：１.２５である。区画１２６および区画１２７の縦横比率は、１：１.４である。区画１２２〜区画１２７は、長辺の長さが同じになるように調整されている。この縦横比はあくまでも一例であって、この縦横比に限定はされない。
【００６９】
本実施の形態では、画像配置区画１２１の外枠と合成画像が配置される各区画の外枠との間には所定幅の縁領域１２ｆが設けられる。
【００７０】
このように、画像配置区画１２１を、外周縁内において傾斜するように配置すると、外周縁と画像配置区画１２１の外枠とによって囲まれる空間において、対角方向に位置する一対の角部近傍の空間１２ｄ、１２ｅの方が、他の一対の角部近傍の空間よりも大きくなる。これにより、この空間１２ｄ、１２ｅに、製品名、製品ロゴ、模様・図柄を含むイラスト画像、利用者の名前等の文字画像を挿入することができる。
【００７１】
図１３に、図１２に示す各区画に印刷画像をはめ込んだ、実際の印刷された写真プリントの状態を示す。区画１２２、区画１２３、区画１２４、および区画１２５には、「通常撮影モード」の合成画像がレイアウトされ、区画１２６および区画１２７には、「空間モード」の合成画像がレイアウトされている。
【００７２】
対角方向に位置する一対の角部近傍の空間１２ｄ、１２ｅには、それぞれ、文字、コメントが記載され、写真プリント全体としてのデザイン性を高めている。さらに、撮影された合成画像が、直線状に一列に配置されていることから、証明写真に用いられる写真プリントにように、フォトルームの雰囲気を醸し出している。
【００７３】
さらに、本実施の形態における写真プリントは、従来の写真プリントと比較して、写真プリント全体に対して、撮影した写真画像を含む合成画像の６枚をすべて１枚づつ、一連につなげて配置している点、つまり傾斜した区画１２１内に区画１２２〜区画１２７を一連につなげて配置している点に、デザイン的な特徴および斬新さを挙げることができる。
【００７４】
その他の構成については、実施の形態１のプリント用紙１１と同様の構成を採用することができる。
【００７５】
その結果、この実施の形態３における写真プリント作成方法および写真プリント作成装置においても、上記各実施の形態と同様の作用効果を得ることができる。
【００７６】
（実施の形態４）
図１４を参照して、本実施の形態における写真プリント１２Ａの印刷状態について説明する。図１４は、本実施の形態における写真プリント１２Ａの印刷状態を示す図であり、（Ａ）は平面図、（Ｂ）は正面図、（Ｃ）は左側面図である。
【００７７】
写真プリント作成装置１００の装置構成は、実施の形態１と同じであり、基本的な印刷状態も、上記実施の形態３における写真プリント１２と同じである。相違点は、本実施の形態における写真プリント１２Ａは、回転方向が異なっている。写真プリント用紙１２ａの長辺１２ｃの延びる方向に対してα度時計方向に回転するように傾斜している。本実施の形態では、回転角度α度は、＋５度である。
【００７８】
この実施の形態４における写真プリント作成方法および写真プリント作成装置においても、上記各実施の形態と同様の作用効果を得ることができる。
【００７９】
（参考例２）
図１５を参照して、本参考例における写真プリント１２Ｂの印刷状態について説明する。図１５は、参考例２における写真プリント１２Ｂの印刷状態を示す図であり、（Ａ）は平面図、（Ｂ）は正面図、（Ｃ）は左側面図である。
【００８０】
写真プリント作成装置１００の装置構成は、実施の形態１と同じであり、基本的な印刷状態も、上記実施の形態３における写真プリント１２と同じである。相違点は、参考例２における写真プリント１２Ｂは、回転しておらず長辺１２ｃの延びる方向と同一の方向に合成画像が並べられている。
【００８１】
（実施の形態５）
図１６を参照して、本実施の形態における写真プリント１３の印刷状態について説明する。図１６は、本実施の形態における写真プリント１３の印刷状態を示す図であり、（Ａ）は平面図、（Ｂ）は正面図、（Ｃ）は左側面図である。
【００８２】
写真プリント作成装置１００の装置構成は、実施の形態１と同じであり、基本的な印刷状態も、上記実施の形態１における写真プリント１１と同じである。本実施の形態４における写真プリント１３は、写真プリント用紙１３ａを縦長に用い、外周縁１３ｂ、１３ｃの内部に、２つの画像配置区画を有している。
【００８３】
矩形形状の第１画像配置区画１３１（区画１３１)は、長辺１３ｃの延びる方向に対してα１度時計方向に回転するように傾斜している。本実施の形態では、回転角度α１度は、−５度である。第１画像配置区画１３１内には、合成画像が配置される領域として、区画１３３、区画１３４、および区画１３７が規定されている。
【００８４】
矩形形状の第２画像配置区画１３２（区画１３２)は、長辺１３ｃの延びる方向に対してα２度時計方向に回転するように傾斜している。本実施の形態では、回転角度α２度は、＋５度である。第２画像配置区画１３２内には、合成画像が配置される領域として、区画１３５、区画１３６、および区画１３８が規定されている。
【００８５】
よって、第１画像配置区画１３１と第２画像配置区画１３２とは相互に傾斜している。第１画像配置区画１３１および第２画像配置区画１３２の上方および下方には、空間１３ｄ、１３ｅが設けられている。第１画像配置区画１３１と第２画像配置区画１３２とはその一部に、相互に重なる領域を設けるようにしてもよい（実施の形態９参照）。
【００８６】
本実施の形態では、区画１３３、区画１３４、区画１３５、および区画１３６の縦横比率は、１.２５：１である。区画１３７および区画１３８の縦横比率は、１.４：１である。各区画は、短辺の長さが同じになるように調整されている。この縦横比はあくまでも一例であって、この縦横比に限定はされない。
【００８７】
本実施の形態では、第１画像配置区画１３１および第２画像配置区画１３２の上下には、空間１３ｄ、１３ｅが設けられている。この空間１３ｄ、１３ｅには、製品名、製品ロゴ、模様・図柄を含むイラスト画像、利用者の名前等の文字画像を挿入することができる。
【００８８】
本実施の形態では、第１画像配置区画１３１の外枠と合成画像が配置される各区画の外枠との間には所定幅の縁領域１３ｆが設けられる。第２画像配置区画１３２の外枠と合成画像が配置される各区画の外枠との間には所定幅の縁領域１３ｆが設けられる。
【００８９】
図１７に、図１６に示す各区画に印刷画像をはめ込んだ、実際の印刷された写真プリントの状態を示す。区画１３３、区画１３４、区画１３５、および区画１３６には、「通常撮影モード」の合成画像がレイアウトされ、区画１３７および区画１３８には、「空間モード」の合成画像がレイアウトされている。
【００９０】
さらに、空間１３ｄには、それぞれ、文字、コメントが記載され、写真プリント全体としてのデザイン性を高めている。さらに、生成された合成画像が、直線状に一列に配置されていることから、証明写真に用いられる写真プリントにように、フォトルームの雰囲気を醸し出している。
【００９１】
その結果、この実施の形態４における写真プリント作成方法および写真プリント作成装置においても、上記各実施の形態と同様の作用効果を得ることができる。
【００９２】
さらに、本実施の形態における写真プリントは、従来の写真プリントと比較して、写真プリント全体に対して、撮影した写真画像を含む合成画像すべて１枚づつ、２連にわけて、それぞれつなげて配置している点、つまり傾斜した区画１３１内に区画１３３、１３４、１３７を一連につなげて配置し、傾斜した区画１３２内に区画１３５、１３６、１３８を一連につなげて配置している点にデザイン的な特徴および斬新さを挙げることができる。
【００９３】
（実施の形態６）
図１８を参照して、本実施の形態における写真プリント１３Ａの印刷状態について説明する。図１８は、本実施の形態における写真プリント１３Ａの印刷状態を示す図であり、（Ａ）は平面図、（Ｂ）は正面図、（Ｃ）は左側面図である。
【００９４】
写真プリント作成装置１００の装置構成は、実施の形態１と同じであり、基本的な印刷状態も、上記実施の形態５における写真プリント１３と同じである。相違点は、本実施の形態における写真プリント１３Ａは、第１画像配置区画１３１および第２画像配置区画１３２の回転方向が異なっている。長辺１３ｃの延びる方向に対してα１が＋５度、α２が−５度である。第１画像配置区画１３１および第２画像配置区画１３２の上方および下方には、空間１３ｄ、１３ｅが設けられている。
【００９５】
この実施の形態６における写真プリント作成方法および写真プリント作成装置においても、上記各実施の形態と同様の作用効果を得ることができる。
【００９６】
（参考例３）
図１９を参照して、本参考例における写真プリント１３Ｂの印刷状態について説明する。図１９は、参考例３における写真プリント１３Ｂの印刷状態を示す図であり、（Ａ）は平面図、（Ｂ）は正面図、（Ｃ）は左側面図である。
【００９７】
写真プリント作成装置１００の装置構成は、実施の形態１と同じであり、基本的な印刷状態も、上記実施の形態５における写真プリント１３と同じである。相違点は、参考例３における写真プリント１３Ｂは、第１画像配置区画１３１および第２画像配置区画１３２が回転しておらず長辺１３ｃの延びる方向と同一の方向に合成画像が並べられている。第１画像配置区画１３１および第２画像配置区画１３２の上方および下方には、空間１３ｄ、１３ｅが設けられている。
【００９８】
（実施の形態７）
図２０を参照して、本実施の形態における写真プリント１４の印刷状態について説明する。図２０は、本実施の形態における写真プリント１４の印刷状態を示す図であり、（Ａ）は平面図、（Ｂ）は正面図、（Ｃ）は左側面図である。
【００９９】
写真プリント作成装置１００の装置構成は、実施の形態１と同じであり、基本的な印刷状態も、上記実施の形態１における写真プリント１１と同じである。本実施の形態７における写真プリント１４は、写真プリント用紙１４ａを横長に用い、外周縁１４ｂ、１４ｃの内部に、２つの画像配置区画を有している。
【０１００】
矩形形状の第１画像配置区画１４１（区画１４１)は、写真プリント用紙１４ａの長辺１４ｂの延びる方向に対してα１度時計方向に回転するように傾斜している。本実施の形態では、回転角度α１度は、−５度である。第１画像配置区画１４１内には、合成画像が配置される領域として、区画１４３、区画１４４、および区画１４７が規定されている。
【０１０１】
矩形形状の第２画像配置区画１４２（区画１４２)は、写真プリント用紙１４ａの長辺１４ｂの延びる方向に対してα２度時計方向に回転するように傾斜している。本実施の形態では、回転角度α２度は、＋５度である。第２画像配置区画１４２内には、合成画像が配置される領域として、区画１４５、区画１４６、および区画１４８が規定されている。
【０１０２】
よって、第１画像配置区画１４１と第２画像配置区画１４２とは相互に傾斜している。第１画像配置区画１４１と第２画像配置区画１４２とはその一部に、相互に重なる領域を設けるようにしてもよい（実施の形態９参照）。
【０１０３】
本実施の形態では、区画１４３、区画１４４、区画１４５、および区画１４６の縦横比率は、１：１.２５である。区画１４７および区画１４８の縦横比率は、１：１.４である。各区画は、短辺の長さが同じになるように調整されている。この縦横比はあくまでも一例であって、この縦横比に限定はされない。
【０１０４】
本実施の形態では、第１画像配置区画１４１の外枠と合成画像が配置される各区画の外枠との間には所定幅の縁領域１４ｆが設けられる。第２画像配置区画１４２の外枠と合成画像が配置される各区画の外枠との間には所定幅の縁領域１４ｆが設けられる。
【０１０５】
本実施の形態では、第１画像配置区画１４１および第２画像配置区画１４２の左右には、空間１４ｄ、１４ｅが設けられている。この空間１４ｄ、１４ｅには、製品名、製品ロゴ、模様・図柄を含むイラスト画像、利用者の名前等の文字画像を挿入することができる。
【０１０６】
図２１に、図２０に示す各区画に印刷画像をはめ込んだ、実際の印刷された写真プリントの状態を示す。区画１４３、区画１４４、区画１４５、および区画１４６には、「通常撮影モード」の合成画像がレイアウトされ、区画１４７および区画１４８には、「空間モード」の合成画像がレイアウトされている。
【０１０７】
さらに、空間１４ｄ、１４ｅには、それぞれ、文字、コメントが記載され、写真プリント全体としてのデザイン性を高めている。さらに、生成された合成画像が、直線状に一列に配置されていることから、証明写真に用いられる写真プリントにように、フォトルームの雰囲気を醸し出している。
【０１０８】
その結果、この実施の形態７における写真プリント作成方法および写真プリント作成装置においても、上記各実施の形態と同様の作用効果を得ることができる。
【０１０９】
さらに、本実施の形態における写真プリントは、従来の写真プリントと比較して、写真プリント全体に対して、撮影した写真画像を含む合成画像すべて１枚づつ、２連にわけて、それぞれつなげて配置している点、つまり傾斜した区画１４１内に区画１４３、１４４、１４７を一連につなげて配置し、傾斜した区画１４２内に区画１４５、１４６、１４８を一連につなげて配置している点にデザイン的な特徴および斬新さを挙げることができる。
【０１１０】
（実施の形態８）
図２２を参照して、本実施の形態における写真プリント１４Ａの印刷状態について説明する。図２２は、本実施の形態における写真プリント１４Ａの印刷状態を示す図であり、（Ａ）は平面図、（Ｂ）は正面図、（Ｃ）は左側面図である。
【０１１１】
写真プリント作成装置１００の装置構成は、実施の形態１と同じであり、基本的な印刷状態も、上記実施の形態７における写真プリント１４と同じである。相違点は、本実施の形態におけるプリント用紙１４Ａは、第１画像配置区画１４１および第２画像配置区画１４２の回転方向が異なっている。写真プリント用紙１４ａの長辺１４ｂの延びる方向に対してα１が＋５度、α２が−５度である。
【０１１２】
この実施の形態８における写真プリント作成方法および写真プリント作成装置においても、上記各実施の形態と同様の作用効果を得ることができる。
【０１１３】
（参考例４）
図２３を参照して、本参考例における写真プリント１４Ｂの印刷状態について説明する。図２３は、参考例４における写真プリント１４Ｂの印刷状態を示す図であり、（Ａ）は平面図、（Ｂ）は正面図、（Ｃ）は左側面図である。
【０１１４】
写真プリント作成装置１００の装置構成は、実施の形態１と同じであり、基本的な印刷状態も、上記実施の形態７における写真プリント１４と同じである。相違点は、参考例４における写真プリント１４Ｂは、第１画像配置区画１４１および第２画像配置区画１４２が回転しておらず、写真プリント用紙１４ａの長辺１４ｂの延びる方向と同一の方向に合成画像が並べられている。
【０１１５】
（実施の形態９）
図２４を参照して、本実施の形態における写真プリント１５の印刷状態について説明する。図２４は、本実施の形態における写真プリント１５の印刷状態を示す図であり、（Ａ）は平面図、（Ｂ）は正面図、（Ｃ）は左側面図である。
【０１１６】
写真プリント作成装置１００の装置構成は、実施の形態１と同じであり、基本的な印刷状態も、上記実施の形態１における写真プリント１１と同じである。本実施の形態９における写真プリント１５は、写真プリント用紙１５ａを横長に用い、外周縁１５ｂ、１５ｃの内部に、第１印刷領域１５Ｘと第２印刷領域１５Ｙとを有している。さらに、第１印刷領域１５Ｘに２つの画像配置区画を有している。
【０１１７】
利用者は、はさみ等を用いて、第１印刷領域１５Ｘと第２印刷領域１５Ｙとを切り離して用いることができる。写真プリント１５は、切り離さず１枚の写真シートとして利用できる。写真プリント１５は、切り分けて、左半分（第１印刷領域１５Ｘ）、右半分（第２印刷領域１５Ｙ）を、それぞれの写真シートとして持っていても、デザイン的に優れている。右側の第２印刷領域１５Ｙは、１枚づつ合成写真を切り分けることができる。
【０１１８】
第１印刷領域１５Ｘにおいて、矩形形状の第１画像配置区画１５１（区画１５１)は、写真プリント用紙１５ａの長辺１５ｂの延びる方向に対してα１度時計方向に回転するように傾斜している。本実施の形態では、回転角度α１度は、＋５度である。第１画像配置区画１５１内には、合成画像が配置される領域として、区画１５３、区画１５４、および区画１５７が規定されている。
【０１１９】
矩形形状の第２画像配置区画１５２（区画１５２)は、写真プリント用紙１５ａの長辺１５ｂの延びる方向に対してα２度時計方向に回転するように傾斜している。本実施の形態では、回転角度α２度は、−５度である。第２画像配置区画１５２内には、合成画像が配置される領域として、区画１５５、区画１５６、および区画１５８が規定されている。
【０１２０】
よって、第１画像配置区画１５１と第２画像配置区画１５２とは相互に傾斜している。さらに、第１画像配置区画１５１と第２画像配置区画１５２とはその一部に、相互に重なる領域Ｘが設けられている。
【０１２１】
本実施の形態では、区画１５３、区画１５４、区画１５５、および区画１５６の縦横比率は、１.２５：１である。区画１５７および区画１５８の縦横比率は、１.４：１である。区画１５３〜区画１５８は、長辺の長さが同じになるように調整されている。この縦横比はあくまでも一例であって、この縦横比に限定はされない。
【０１２２】
本実施の形態では、第１画像配置区画１５１の外枠と合成画像が配置される各区画の外枠との間には所定幅の縁領域１５ｆが設けられる。第２画像配置区画１５２の外枠と合成画像が配置される各区画の外枠との間には所定幅の縁領域１５ｆが設けられる。
【０１２３】
本実施の形態では、第１画像配置区画１５１の左側および第２画像配置区画１５２の右側には、空間１５ｄ、１５ｅが設けられている。この空間１５ｄ、１５ｅには、製品名、製品ロゴ、模様・図柄を含むイラスト画像、利用者の名前等の文字画像を挿入することができる。
【０１２４】
第２印刷領域１５Ｙには、区画１５９、区画１５１０、区画１５１１、区画１５１２、区画１５１３、および区画１５１４が設けられている。これらの区画は、写真プリント用紙１５ａの長辺１５ｂの延びる方向に対して平行となるように整列されている。
【０１２５】
本実施の形態では、区画１５９、区画１５１０、区画１５１１、および区画１５１２の縦横比率は、１.２５：１である。区画１５１３および区画１５１４の縦横比率は、１.４：１である。この縦横比はあくまでも一例であって、この縦横比に限定はされない。
【０１２６】
図２５に、図２４に示す各区画に印刷画像をはめ込んだ、実際の印刷された写真プリントの状態を示す。第１印刷領域１５Ｘにおいて、区画１５３、区画１５４、区画１５５、および区画１５６には、「通常撮影モード」の合成画像がレイアウトされ、区画１５７および区画１５８には、「空間モード」の合成画像がレイアウトされている。
【０１２７】
さらに、空間には、それぞれ、文字、コメントが記載され、写真プリント全体としてのデザイン性を高めている。さらに、生成された合成画像が、直線状に一列に配置されていることから、証明写真に用いられる写真プリントにように、フォトルームの雰囲気を醸し出している。
【０１２８】
第２印刷領域１５Ｙにおいて、区画１５９、区画１５１０、区画１５１１、および区画１５１２には、「通常撮影モード」の合成画像がレイアウトされ、区画１５１３および区画１５１４には、「空間モード」の合成画像がレイアウトされている。
【０１２９】
その結果、この実施の形態９における写真プリント作成方法および写真プリント作成装置においても、上記各実施の形態と同様の作用効果を得ることができる。
【０１３０】
さらに、本実施の形態における写真プリントは、従来の写真プリントと比較して、写真プリント全体に対して、第１印刷領域１５Ｘと第２印刷領域１５Ｙとに区分けし、第１印刷領域１５Ｘには、撮影した写真画像を含む合成画像すべて１枚づつ、２連にわけて、それぞれつなげて配置している点、つまり傾斜した区画１５１内に区画１５３、１５４、１５７を一連につなげて配置し、傾斜した区画１５２内に区画１５５、１５６、１５７を一連につなげて配置している点、第１画像配置区画１５１と第２画像配置区画１５２とはその一部に、相互に重なる領域Ｘが設けられている点にデザイン的な特徴および斬新さを挙げることができ、第２印刷領域１５Ｙには、区画１５９、１５１０、１５１１、１５１２、１５１３、１５１４を整然と配置している点にデザイン的な特徴および斬新さを挙げることができる。
【０１３１】
（実施の形態１０）
図２６を参照して、本実施の形態における写真プリント１５Ａの印刷状態について説明する。図２２は、本実施の形態における写真プリント１５Ａの印刷状態を示す図であり、（Ａ）は平面図、（Ｂ）は正面図、（Ｃ）は左側面図である。
【０１３２】
写真プリント作成装置１００の装置構成は、実施の形態１と同じであり、基本的な印刷状態も、上記実施の形態９における写真プリント１５と同じである。相違点は、本実施の形態における写真プリント１５Ａは、第１印刷領域１５Ｘにおいて、第１画像配置区画１５１および第２画像配置区画１５２の回転方向が異なっている。写真プリント用紙１５ａの長辺１５ｂの延びる方向に対してα１が−５度、α２が＋５度である。
【０１３３】
この実施の形態１０における写真プリント作成方法および写真プリント作成装置においても、上記各実施の形態と同様の作用効果を得ることができる。
【０１３４】
（実施の形態１１）
図２７を参照して、本実施の形態における写真プリント１５Ｂの印刷状態について説明する。図２７は、本実施の形態における写真プリント１５Ｂの印刷状態を示す図であり、（Ａ）は平面図、（Ｂ）は正面図、（Ｃ）は左側面図である。
【０１３５】
写真プリント作成装置１００の装置構成は、実施の形態１と同じであり、基本的な印刷状態も、上記実施の形態９における写真プリント用紙と同じである。相違点は、本実施の形態における写真プリント１５Ｂは、第１印刷領域１５Ｘにおいて、第１画像配置区画１５１および第２画像配置区画１５２が同一方向に回転している。写真プリント用紙１５ａの長辺１５ｂの延びる方向に対していずれもα１が−５度である。
【０１３６】
この実施の形態１１における写真プリント作成方法および写真プリント作成装置においても、上記各実施の形態と同様の作用効果を得ることができる。
【０１３７】
（実施の形態１２）
図２８を参照して、本実施の形態における写真プリント１５Ｃの印刷状態について説明する。図２８は、本実施の形態における写真プリント１５Ｃの印刷状態を示す図であり、（Ａ）は平面図、（Ｂ）は正面図、（Ｃ）は左側面図である。
【０１３８】
写真プリント作成装置１００の装置構成は、実施の形態１と同じであり、基本的な印刷状態も、上記実施の形態９における写真プリント１５と同じである。相違点は、本実施の形態における写真プリント１５Ｃは、第１印刷領域１５Ｘにおいて、第１画像配置区画１５１および第２画像配置区画１５２が同一方向に回転している。写真プリント用紙１５ａの長辺１５ｂの延びる方向に対していずれもα１が＋５度である。上記実施の形態１１の場合とは逆である。
【０１３９】
この実施の形態１２における写真プリント作成方法および写真プリント作成装置においても、上記各実施の形態と同様の作用効果を得ることができる。
【０１４０】
（参考例５）
図２９を参照して、本参考例における写真プリント１５Ｄの印刷状態について説明する。図２９は、参考例５における写真プリント１５Ｄの印刷状態を示す図であり、（Ａ）は平面図、（Ｂ）は正面図、（Ｃ）は左側面図である。
【０１４１】
写真プリント作成装置１００の装置構成は、実施の形態１と同じであり、基本的な印刷状態も、上記実施の形態９における写真プリント１５と同じである。相違点は、参考例５における写真プリント１５Ｄは、第１印刷領域１５Ｘにおいて、第１画像配置区画１５１および第２画像配置区画１５２が回転しておらず、写真プリント用紙１５ａの長辺１５ｂの延びる方向と同一の方向に合成画像が並べられている。
【０１４２】
（実施の形態１３）
図３０を参照して、本実施の形態における写真プリント１５Ｅの印刷状態について説明する。図３０は、本実施の形態における写真プリント１５Ｅの印刷状態を示す図であり、（Ａ）は平面図、（Ｂ）は正面図、（Ｃ）は左側面図である。
【０１４３】
写真プリント作成装置１００の装置構成は、実施の形態１と同じであり、基本的な印刷状態も、上記実施の形態９における写真プリント１５と同じである。相違点は、本実施の形態における写真プリント１５Ｅは、図２４に示す実施の形態９におけるプリント用紙１５の第１印刷領域１５Ｘと第２印刷領域１５Ｙとを入れ替えたものである。
【０１４４】
この実施の形態１３における写真プリント作成方法および写真プリント作成装置においても、上記各実施の形態と同様の作用効果を得ることができる。
【０１４５】
（実施の形態１４）
図３１を参照して、本実施の形態における写真プリント１５Ｆの印刷状態について説明する。図３１は、本実施の形態における写真プリント１５Ｆの印刷状態を示す図であり、（Ａ）は平面図、（Ｂ）は正面図、（Ｃ）は左側面図である。
【０１４６】
写真プリント作成装置１００の装置構成は、実施の形態１と同じであり、基本的な印刷状態も、上記実施の形態９における写真プリント１５と同じである。相違点は、本実施の形態における写真プリント１５Ｆは、第１印刷領域１５Ｘにおいて、第１画像配置区画１５１の区画数が２つであり、第２画像配置区画１５２の区画数が４つである。
【０１４７】
第１印刷領域１５Ｘにおいて、矩形形状の第１画像配置区画１５１（区画１５１)は、写真プリント用紙１５ａの長辺１５ｂの延びる方向に対してα１度時計方向に回転するように傾斜している。本実施の形態では、回転角度α１度は、＋５度である。第１画像配置区画１５１内には、合成画像が配置される領域として、区画１５７および区画１５８が規定されている。
【０１４８】
矩形形状の第２画像配置区画１５２（区画１５２)は、写真プリント用紙１５ａの長辺１５ｂの延びる方向に対してα２度時計方向に回転するように傾斜している。本実施の形態では、回転角度α２度は、−５度である。第２画像配置区画１５２内には、合成画像が配置される領域として、区画１５３、区画１５４、区画１５５、および区画１５６が規定されている。
【０１４９】
よって、第１画像配置区画１５１と第２画像配置区画１５２とは相互に傾斜している。さらに、第１画像配置区画１５１と第２画像配置区画１５２とはその一部に、相互に重なる領域Ｘが設けられている。
【０１５０】
本実施の形態では、区画１５３、区画１５４、区画１５５、および区画１５６の縦横比率は、１.２５：１である。区画１５７および区画１５８の縦横比率は、１.４：１である。各区画は、長辺の長さが同じになるように調整されている。この縦横比はあくまでも一例であって、この縦横比に限定はされない。
【０１５１】
本実施の形態では、第１画像配置区画１５１の左右には、空間１５ｄ、１５ｅが設けられている。この空間１５ｄ、１５ｅには、製品名、製品ロゴ、模様・図柄を含むイラスト画像、利用者の名前等の文字画像を挿入することができる。
【０１５２】
この実施の形態１４における写真プリント作成方法および写真プリント作成装置においても、上記各実施の形態と同様の作用効果を得ることができる。
【０１５３】
さらに、本実施の形態における写真プリントは、従来の写真プリントと比較して、写真プリント全体に対して、第１印刷領域１５Ｘと第２印刷領域１５Ｙとに区分けし、第１印刷領域１５Ｘには、撮影した写真画像を含む合成画像すべて１枚づつ、縦方向に２連にわけて、それぞれつなげて配置している点、つまり傾斜した区画１５１内に区画１５７、１５８を一連につなげて配置し、傾斜した区画１５２内に区画１５３、１５４、１５５、１５６を一連につなげて配置している点、第１画像配置区画１５１と第２画像配置区画１５２とはその一部に、相互に重なる領域Ｘが設けられている点に、デザイン的な特徴および斬新さを挙げることができ、第２印刷領域１５Ｙには、区画１５９、１５１０、１５１１、１５１２、１５１３、１５１４を整然と配置している点にデザイン的な特徴および斬新さを挙げることができる。
【０１５４】
（実施の形態１５）
図３２を参照して、本実施の形態における写真プリント１５Ｇの印刷状態について説明する。図３２は、本実施の形態における写真プリント１５Ｇの印刷状態を示す図であり、（Ａ）は平面図、（Ｂ）は正面図、（Ｃ）は左側面図である。
【０１５５】
写真プリント作成装置１００の装置構成は、実施の形態１と同じであり、基本的な印刷状態も、上記実施の形態９における写真プリント１５と同じである。相違点は、本実施の形態における写真プリント１５Ｇは、第１印刷領域１５Ｘにおいて、第１画像配置区画１５１、第２画像配置区画１５２、および第３画像配置区画１５２ａが設けられている。
【０１５６】
第１印刷領域１５Ｘにおいて、矩形形状の第１画像配置区画１５１（区画１５１)は、写真プリント用紙１５ａの長辺１５ｂの延びる方向に対してα１度時計方向に回転するように傾斜している。本実施の形態では、回転角度α１度は、−５度である。第１画像配置区画１５１内には、合成画像が配置される領域として、区画１５３および区画１５４が規定されている。
【０１５７】
矩形形状の第２画像配置区画１５２（区画１５２)は、写真プリント用紙１５ａの長辺１５ｂの延びる方向に対してα２度時計方向に回転するように傾斜している。本実施の形態では、回転角度α２度は、＋５度である。第２画像配置区画１５２内には、合成画像が配置される領域として、区画１５５および区画１５６が規定されている。
【０１５８】
矩形形状の第３画像配置区画１５２ａ（区画１５２ａ)は、写真プリント用紙１５ａの長辺１５ｂの延びる方向に対してα３度時計方向に回転するように傾斜している。本実施の形態では、回転角度α３度は、−５度である。第３画像配置区画１５２ａ内には、合成画像が配置される領域として、区画１５７および区画１５８が規定されている。
【０１５９】
よって、第１画像配置区画１５１、第２画像配置区画１５２および第３画像配置区画１５２ａは相互に傾斜している。第１画像配置区画１５１、第２画像配置区画１５２および第３画像配置区画１５２ａの一部に、相互に重なる領域が設けられていてもよい。
【０１６０】
本実施の形態では、区画１５３、区画１５４、区画１５５、および区画１５６の縦横比率は、１.２５：１である。区画１５７および区画１５８の縦横比率は、１.４：１である。各区画は、長辺の長さが同じになるように調整されている。この縦横比はあくまでも一例であって、この縦横比に限定はされない。
【０１６１】
本実施の形態では、第２画像配置区画１５２の上下には、空間１５ｄ、１５ｅが設けられている。この空間１５ｄ、１５ｅには、製品名、製品ロゴ、模様・図柄を含むイラスト画像、利用者の名前等の文字画像を挿入することができる。
【０１６２】
この実施の形態１５における写真プリント作成方法および写真プリント作成装置においても、上記各実施の形態と同様の作用効果を得ることができる。
【０１６３】
さらに、本実施の形態における写真プリントは、従来の写真プリントと比較して、写真プリント全体に対して、第１印刷領域１５Ｘと第２印刷領域１５Ｙとに区分けし、第１印刷領域１５Ｘには、撮影した写真画像を含む合成画像すべて１枚づつ、３連にわけて、それぞれつなげて配置している点、つまり傾斜した区画１５１内に区画１５３、１５４を一連につなげて配置し、傾斜した区画１５２内に区画１５５、１５６を一連につなげて配置している点、傾斜した区画１５２ａ内に区画１５７、１５８を一連につなげて配置している点に、デザイン的な特徴および斬新さを挙げることができ、第２印刷領域１５Ｙには、区画１５９、１５１０、１５１１、１５１２、１５１３、１５１４を整然と配置している点にデザイン的な特徴および斬新さを挙げることができる。
【０１６４】
（実施の形態１６）
図３３を参照して、本実施の形態における写真プリント１６の印刷状態について説明する。図３３は、本実施の形態における写真プリント１６の印刷状態を示す図であり、（Ａ）は平面図、（Ｂ）は正面図、（Ｃ）は左側面図である。
【０１６５】
写真プリント作成装置１００の装置構成は、実施の形態１と同じであり、基本的な印刷状態も、上記実施の形態１における写真プリント１１と同じである。本実施の形態１６における写真プリント１６は、写真プリント用紙１６ａを縦長に用い、外周縁１６ｂ、１６ｃの内部に、第１印刷領域１６Ｘと第２印刷領域１６Ｙとを有している。さらに、第１印刷領域１６Ｘに２つの画像配置区画を有している。
【０１６６】
利用者は、はさみ等を用いて、第１印刷領域１６Ｘと第２印刷領域１６Ｙとを切り離して用いることができる。切り離さず１枚の写真シートとして利用できる。切り分けて、左半分、右半分それぞれの写真シートとして持っていてもさまになる。下側の第２印刷領域１６Ｙは、１枚づつ合成写真を切り分けることができる。
【０１６７】
第１印刷領域１６Ｘにおいて、矩形形状の第１画像配置区画１６１（区画１６１)は、写真プリント用紙１６ａの長辺１６ｃの延びる方向に対してα１度時計方向に回転するように傾斜している。本実施の形態では、回転角度α１度は、−５度である。第１画像配置区画１６１内には、合成画像が配置される領域として、区画１６３、区画１６４、および区画１６７が規定されている。
【０１６８】
矩形形状の第２画像配置区画１６２（区画１６２)は、写真プリント用紙１６ａの長辺１６ｃの延びる方向に対してα２度時計方向に回転するように傾斜している。本実施の形態では、回転角度α２度は、＋５度である。第２画像配置区画１６２内には、合成画像が配置される領域として、区画１６５、区画１６６、および区画１６８が規定されている。
【０１６９】
よって、第１画像配置区画１６１と第２画像配置区画１６２とは相互に傾斜している。さらに、第１画像配置区画１６１と第２画像配置区画１６２とはその一部に、相互に重なる領域Ｘが設けられている。
【０１７０】
本実施の形態では、区画１６３、区画１６４、区画１６５、および区画１６６の縦横比率は、１.２５：１である。区画１６７および区画１６８の縦横比率は、１.４：１である。区画１６３〜区画１６８は、短辺の長さが同じになるように調整されている。の縦横比はあくまでも一例であって、この縦横比に限定はされない。
【０１７１】
本実施の形態では、第１画像配置区画１６１の外枠と合成画像が配置される各区画の外枠との間には所定幅の縁領域１６ｆが設けられる。第２画像配置区画１６２の外枠と合成画像が配置される各区画の外枠との間には所定幅の縁領域１６ｆが設けられる。
【０１７２】
本実施の形態では、第１画像配置区画１６１および第２画像配置区画１６２を取り囲む矩形形状の輪郭１６ｄが設けられている。第１画像配置区画１６１の上側および第２画像配置区画１６２の下側には、空間１６ｅ、１６ｇが設けられている。この空間１６ｅ、１６ｇには、製品名、製品ロゴ、模様・図柄を含むイラスト画像、利用者の名前等の文字画像を挿入することができる。
【０１７３】
第２印刷領域１６Ｙには、区画１６９、区画１６１０、区画１６１１、区画１６１２、区画１６１３、および区画１６１４が設けられている。これらの区画は、写真プリント用紙１６ａの長辺１６ｃの延びる方向に対して平行となるように整列されている。
【０１７４】
本実施の形態では、区画１６９、区画１６１０、区画１６１１、および区画１６１２の縦横比率は、１.２５：１である。区画１６１３および区画１６１４の縦横比率は、１.４：１である。この縦横比はあくまでも一例であって、この縦横比に限定はされない。
【０１７５】
図３４に、図３３に示す各区画に印刷画像をはめ込んだ、実際の印刷された写真プリントの状態を示す。第１印刷領域１６Ｘにおいて、区画１６３、区画１６４、区画１６５、および区画１６６には、「通常撮影モード」の合成画像がレイアウトされ、区画１６７および区画１６８には、「空間モード」の合成画像がレイアウトされている。
【０１７６】
さらに、空間１６ｅ、１６ｇには、それぞれ、文字、コメントが記載され、写真プリント全体としてのデザイン性を高めている。さらに、生成された合成画像が、直線状に一列に配置されていることから、証明写真に用いられる写真プリントにように、フォトルームの雰囲気を醸し出している。
【０１７７】
第２印刷領域１６Ｙにおいて、区画１６９、区画１６１０、区画１６１１、および区画１６１２には、「通常撮影モード」の合成画像がレイアウトされ、区画１６１３および区画１６１４には、「空間モード」の合成画像がレイアウトされている。
【０１７８】
その結果、この実施の形態１６における写真プリント作成方法および写真プリント作成装置においても、上記各実施の形態と同様の作用効果を得ることができる。
【０１７９】
さらに、本実施の形態における写真プリントは、従来の写真プリントと比較して、写真プリント全体に対して、第１印刷領域１６Ｘと第２印刷領域１６Ｙとに区分けし、第１印刷領域１６Ｘには、撮影した写真画像を含む合成画像すべて１枚づつ、２連にわけて、それぞれつなげて配置している点、つまり傾斜した区画１６１内に区画１６３、１６４、１６７を一連につなげて配置し、傾斜した区画１６２内に区画１６５、１６６、１６７を一連につなげて配置している点、第１画像配置区画１６１と第２画像配置区画１６２とはその一部に、相互に重なる領域Ｘが設けられている点に、デザイン的な特徴および斬新さを挙げることができ、第２印刷領域１６Ｙには、区画１６９、１６１０、１６１１、１６１２、１６１３、１６１４を整然と配置している点にデザイン的な特徴および斬新さを挙げることができる。
【０１８０】
（実施の形態１７）
図３５を参照して、本実施の形態における写真プリント１６Ａの印刷状態について説明する。図２２は、本実施の形態における写真プリント１６Ａの印刷状態を示す図であり、（Ａ）は平面図、（Ｂ）は正面図、（Ｃ）は左側面図である。
【０１８１】
写真プリント作成装置１００の装置構成は、実施の形態１と同じであり、基本的な印刷状態も、上記実施の形態１６における写真プリント１６と同じである。相違点は、本実施の形態における写真プリント１６Ａは、第１印刷領域１６Ｘにおいて、第１画像配置区画１６１および第２画像配置区画１６２の回転方向が異なっている。写真プリント用紙１６ａの長辺１６ｃの延びる方向に対してα１が＋５度、α２が−５度である。
【０１８２】
この実施の形態１７における写真プリント作成方法および写真プリント作成装置においても、上記各実施の形態と同様の作用効果を得ることができる。
【０１８３】
（実施の形態１８）
図３６を参照して、本実施の形態における写真プリント１６Ｂの印刷状態について説明する。図３６は、本実施の形態における写真プリント１６Ｂの印刷状態を示す図であり、（Ａ）は平面図、（Ｂ）は正面図、（Ｃ）は左側面図である。
【０１８４】
写真プリント作成装置１００の装置構成は、実施の形態１と同じであり、基本的な印刷状態も、上記実施の形態１６における写真プリント１６と同じである。相違点は、本実施の形態における写真プリント１６Ｂは、第１印刷領域１６Ｘにおいて、第１画像配置区画１６１および第２画像配置区画１６２が同一方向に回転している。写真プリント用紙１６ａの長辺１６ｃの延びる方向に対していずれもα１およびα２が−５度である。
【０１８５】
この実施の形態１８における写真プリント作成方法および写真プリント作成装置においても、上記各実施の形態と同様の作用効果を得ることができる。
【０１８６】
（実施の形態１９）
図３７を参照して、本実施の形態における写真プリント１６Ｃの印刷状態について説明する。図３７は、本実施の形態における写真プリント１６Ｃの印刷状態を示す図であり、（Ａ）は平面図、（Ｂ）は正面図、（Ｃ）は左側面図である。
【０１８７】
写真プリント作成装置１００の装置構成は、実施の形態１と同じであり、基本的な印刷状態も、上記実施の形態１６における写真プリント１６と同じである。相違点は、本実施の形態における写真プリント１６Ｃは、第１印刷領域１６Ｘにおいて、第１画像配置区画１６１および第２画像配置区画１６２が同一方向に回転している。写真プリント用紙１６ａの長辺１６ｃの延びる方向に対していずれもα１およびα２が＋５度である。上記実施の形態１１の場合とは逆である。
【０１８８】
この実施の形態１９における写真プリント作成方法および写真プリント作成装置においても、上記各実施の形態と同様の作用効果を得ることができる。
【０１８９】
（参考例６）
図３８を参照して、本参考例における写真プリント１６Ｄの印刷状態について説明する。図３８は、参考例６における写真プリント１６Ｄの印刷状態を示す図であり、（Ａ）は平面図、（Ｂ）は正面図、（Ｃ）は左側面図である。
【０１９０】
写真プリント作成装置１００の装置構成は、実施の形態１と同じであり、基本的な印刷状態も、上記実施の形態１６における写真プリント１６と同じである。相違点は、参考例６における写真プリント１６Ｄは、第１印刷領域１６Ｘにおいて、第１画像配置区画１６１および第２画像配置区画１６２が回転しておらず、写真プリント用紙１６ａの長辺１６ｃの延びる方向と同一の方向に合成画像が並べられている。
【０１９１】
（実施の形態２０）
図３９を参照して、本実施の形態における写真プリント１６Ｅの印刷状態について説明する。図３９は、本実施の形態における写真プリント１６Ｅの印刷状態を示す図であり、（Ａ）は平面図、（Ｂ）は正面図、（Ｃ）は左側面図である。
【０１９２】
写真プリント作成装置１００の装置構成は、実施の形態１と同じであり、基本的な印刷状態も、上記実施の形態６における写真プリント１６と同じである。相違点は、本実施の形態における写真プリント１６Ｅは、図３３に示す実施の形態１６における写真プリント１６において、第１印刷領域１６Ｘと第２印刷領域１６Ｙの上下を入れ替えたものである。
【０１９３】
この実施の形態２０における写真プリント作成方法および写真プリント作成装置においても、上記各実施の形態と同様の作用効果を得ることができる。
【０１９４】
（実施の形態２１）
図４０を参照して、本実施の形態における写真プリント１６Ｆの印刷状態について説明する。図４０は、本実施の形態における写真プリント１６Ｆの印刷状態を示す図であり、（Ａ）は平面図、（Ｂ）は正面図、（Ｃ）は左側面図である。
【０１９５】
写真プリント作成装置１００の装置構成は、実施の形態１と同じであり、基本的な印刷状態も、上記実施の形態１６における写真プリント１６と同じである。相違点は、本実施の形態における写真プリント１６Ｆは、第１印刷領域１６Ｘにおいて、第１画像配置区画１６１、第２画像配置区画１６２、および第３画像配置区画１６９が設けられている。
【０１９６】
第１印刷領域１６Ｘにおいて、矩形形状の第１画像配置区画１６１（区画１６１)は、写真プリント用紙１６ａの長辺１６ｃの延びる方向に対してα１度時計方向に回転するように傾斜している。本実施の形態では、回転角度α１度は、−５度である。第１画像配置区画１６１内には、合成画像が配置される領域として、区画１６３および区画１６４が規定されている。
【０１９７】
矩形形状の第２画像配置区画１６２（区画１６２)は、写真プリント用紙１６ａの長辺１６ｃの延びる方向に対してα２度時計方向に回転するように傾斜している。本実施の形態では、回転角度α２度は、＋５度である。第２画像配置区画１６２内には、合成画像が配置される領域として、区画１６５および区画１６６が規定されている。
【０１９８】
矩形形状の第３画像配置区画１６９（区画１６９)は、写真プリント用紙１６ａの長辺１６ｃの延びる方向に対してα３度時計方向に回転するように傾斜している。本実施の形態では、回転角度α３度は、−５度である。第３画像配置区画１６９内には、合成画像が配置される領域として、区画１６７および区画１６８が規定されている。
【０１９９】
よって、第１画像配置区画１６１、第２画像配置区画１６２および第３画像配置区画１６９は相互に傾斜している。第１画像配置区画１６１、第２画像配置区画１６２および第３画像配置区画１６９の一部に、相互に重なる領域が設けられていてもよい。
【０２００】
本実施の形態では、区画１６３、区画１６４、区画１６７、および区画１６８の縦横比率は、１.２５：１である。区画１６５および区画１６６の縦横比率は、１.４：１である。各区画は、短辺の長さが同じになるように調整されている。この縦横比はあくまでも一例であって、この縦横比に限定はされない。
【０２０１】
本実施の形態では、第１画像配置区画１６１と第３画像配置区画１６９の間、および、第２画像配置区画１６２の両側に空間１６ｅ、１６ｇ、１６ｈが設けられている。この空間１６ｅ、１６ｇ、１６ｈには、製品名、製品ロゴ、模様・図柄を含むイラスト画像、利用者の名前等の文字画像を挿入することができる。
【０２０２】
この実施の形態２１における写真プリント作成方法および写真プリント作成装置においても、上記各実施の形態と同様の作用効果を得ることができる。
【０２０３】
さらに、本実施の形態における写真プリントは、従来の写真プリントと比較して、写真プリント全体に対して、第１印刷領域１６Ｘと第２印刷領域１６Ｙとに区分けし、第１印刷領域１６Ｘには、撮影した写真画像を含む合成画像すべて１枚づつ、３連にわけて、それぞれつなげて配置している点、つまり傾斜した区画１６１内に区画１６３、１６４を一連につなげて配置し、傾斜した区画１６２内に区画１６５、１６６を一連につなげて配置している点、傾斜した区画１６９内に区画１６７、１６８を一連につなげて配置している点に、デザイン的な特徴および斬新さを挙げることができ、第２印刷領域１６Ｙには、区画１６９、１６１０、１６１１、１６１２、１６１３、１６１４を整然と配置している点にデザイン的な特徴および斬新さを挙げることができる。
【０２０４】
上述の各実施の形態においては、画像配置区画の傾斜角度α度を、−５度、＋５度の場合について説明しているが、この傾斜角度に限定されない。たとえば、上記実施の形態では、２種類以上の傾斜角度の絶対値が同じ値の場合を示しているが、たとえば、α１＝−５°、α２＝＋８°、α３＝-７°等のように、絶対値が異なっていてもい。デザインにおいて、様々な傾斜角度に設定することが可能である。
【０２０５】
上述の各実施の形態においては、画像配置区画の比率として、１.２５：１の場合（またはその逆）、１.４：１の場合（またはその逆）について説明したが、この比率に限定されるものではない。全身写真を撮影した場合には、たとえば９：１６の比率の採用も可能であり、その他、様々な比率の採用が可能である。一連につなげて配置する場合に、異なる比率の区画を混在するように配置しているが、同じ比率の区画を一連につなげて配置してもよい。異なる比率の区画を交互に配置してもよい。
【０２０６】
以上、本発明の各実施の形態における写真プリント作成方法および写真プリント作成装置について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０２０７】
１１Ａ、１１Ｂ、１２、１２Ａ、１２Ｂ、１３、１３Ａ、１３Ｂ、１４、１４Ａ、１４Ｂ、１５、１５Ａ、１５Ｂ、１５Ｃ、１５Ｄ、１５Ｅ、１５Ｆ、１５Ｇ、１６、１６Ａ、１６Ｂ、１６Ｃ、１６Ｄ、１６Ｅ、１６Ｆ  写真プリント、１１ａ、１２ａ、１３ａ、１４ａ、１５ａ、１６ａ  写真プリント用紙、１１ｂ、１１ｃ、１３ｂ、１３ｃ、１４ｂ、１４ｃ、１５ｂ、１５ｃ、１６ｂ、１６ｃ  外周縁、１１ｄ、１１ｅ、１１ｇ、１１ｈ、１２ｄ、１２ｅ、１３ｄ、１３ｅ、１４ｄ、１４ｅ、１５ｄ、１５ｅ、１６ｅ、１６ｇ  空間、１１ｆ、１２ｆ、１３ｆ、１４ｆ、１５ｆ、１６ｆ  縁領域、１５Ｘ、１６Ｘ  第１印刷領域、１５Ｙ、１６Ｙ  第２印刷領域、１６ｄ  輪郭、１００  写真プリント作成装置（写真撮影ブース付きプリント自動販売機）、１１２、１１３、１１４、１１５、１１６、１１７、１２２、１２３、１２４、１２５、１２６、１２７、１３３、１３４、１３５、１３６、１３７、１３８、１４３、１４４、１４５、１４６、１４７、１４８、１５３、１５４、１５５、１５６、１５７、１５８、１５９、１５１０、１５１１、１５１２、１５１３、１５１４、１６３、１６４、１６５、１６６、１６７、１６８、１６９、１６１０、１６１１、１６１２、１６１３、１６１４  区画、１１１、１２１  画像配置区画、１３１、１４１、１５１、１６１  第１画像配置区画、１３２、１４２、１５２、１６２  第２画像配置区画、１５２ａ、１６９  第３画像配置区画、２００  事前接客装置（シール自動販売機用事前利用者操作機）、２１０  コイン投入口、２２０  操作モニタ、２３０  スピーカ、３００  撮影装置（シール自動販売機用撮影機）、３１０  撮影用カメラ、３２０  操作モニタ、３３０、３４０  照明器具、４００  画像編集装置（写真シール自動販売機用画像編集加工印刷機）、４１０  操作モニタ、４２０  タッチペン、５００  事後接客装置（シール自動販売機用事後利用者操作機）、５１０  操作モニタ、５２０  写真シール受取口、１０００  制御装置、１００１  コンピュータ装置、１００２  制御基板、１００３  ＣＰＵ、１００４  ＨＤＤ、１００５  メモリ、１００６  通信部、１０１７  クロマキーキャプチャボード、１１００  発光制御部、Ｇ１  合成画像、Ｂ１１２、Ｂ１１３  下地塗画像。
【図１】
2015036804.tif 000003
【図２】
2015036804.tif 000004
【図３】
2015036804.tif 000005
【図４】
2015036804.tif 000006
【図５】
2015036804.tif 000007
【図６】
2015036804.tif 000008
【図７】
2015036804.tif 000009
【図８】
2015036804.tif 000010
【図９】
2015036804.tif 000011
【図１０】
2015036804.tif 000012
【図１１】
2015036804.tif 000013
【図１２】
2015036804.tif 000014
【図１３】
2015036804.tif 000015
【図１４】
2015036804.tif 000016
【図１５】
2015036804.tif 000017
【図１６】
2015036804.tif 000018
【図１７】
2015036804.tif 000019
【図１８】
2015036804.tif 000020
【図１９】
2015036804.tif 000021
【図２０】
2015036804.tif 000022
【図２１】
2015036804.tif 000023
【図２２】
2015036804.tif 000024
【図２３】
2015036804.tif 000025
【図２４】
2015036804.tif 000026
【図２５】
2015036804.tif 000027
【図２６】
2015036804.tif 000028
【図２７】
2015036804.tif 000029
【図２８】
2015036804.tif 000030
【図２９】
2015036804.tif 000031
【図３０】
2015036804.tif 000032
【図３１】
2015036804.tif 000033
【図３２】
2015036804.tif 000034
【図３３】
2015036804.tif 000035
【図３４】
2015036804.tif 000036
【図３５】
2015036804.tif 000037
【図３６】
2015036804.tif 000038
【図３７】
2015036804.tif 000039
【図３８】
2015036804.tif 000040
【図３９】
2015036804.tif 000041
【図４０】
2015036804.tif 000042